(57)【特許請求の範囲】
【請求項１】
座部又は脚部から立ち上がった支持部に対して肘掛け部を取付けてなる椅子の肘掛け装置であって、前記座部又は脚部の両側部に前記支持部を構成する支持アームをネジ止めする取付部を設け、前記支持アームを外形において左右兼用可能とすべく前後対称形に形成するとともに、該支持アームの基部にネジ止め用の複数の取付孔を形成し、該取付孔のうち前後一対の取付孔をそれぞれ孔形が異なる形状の右用取付孔と左用取付孔とし、他の取付孔を共通取付孔とし、右用支持アームの左用取付孔にはその孔形に合致し且つ右用表示付きの右用キャップを嵌着するとともに、左用支持アームの右用取付孔にはその孔形に合致し且つ左用表示付きの左用キャップを嵌着してなり、前記取付部には共通取付孔及び右用取付孔又は左用取付孔と対応する位置に螺孔を形成してなることを特徴とする椅子の肘掛け装置。
【請求項２】
前記支持アームの基部であって、基端側に前後一対の前記右用取付孔と左用取付孔を形成するとともに、先端側に前後一対の共通取付孔を形成してなる請求項１記載の椅子の肘掛け装置。
【請求項３】
前記各取付孔は、ネジの螺軸を挿通する貫通孔と、ネジの頭部を埋没させる座ぐり孔を有し、前記右用取付孔と左用取付孔の座ぐり孔を互いに向きを違えた長形とし、前記右用キャップと左用キャップは前記貫通孔に抜止め係合する脚部と座ぐり孔に嵌合する表示部とからなる請求項１又は２記載の椅子の肘掛け装置。
【発明の詳細な説明】
【０００１】
【発明の属する技術分野】
本発明は、椅子の肘掛け装置に係わり、更に詳しくは座部又は脚部から立ち上がった支持部に対して肘掛け部を取付けてなる椅子の肘掛け装置に関する。
【０００２】
【従来の技術】
従来、椅子の座部又は脚部から立ち上がった支持部に対して肘掛け部を取付け、該肘掛け部が高さ調節可能となしたものは公知である。そして、前記支持部を、座部又は脚部の両側部の取付部にネジ止め固定した支持アームと、肘掛け部を取付けた昇降体とで構成し、該支持アームに対して内蔵した高さ調節機構によって上下移動可能に昇降体を連係した構造となっている。
【０００３】
このため、前記支持部、特に支持アームは、高さ調節機構との関係上及びそれぞれ左右の取付部に取付ける関係上、右用と左用とで鏡面対称形になっている。そして、前記支持アームの基部に四つの取付孔を形成するとともに、前記取付部には該取付孔に対応して四つの螺孔を形成して、左右でそれぞれ４本のネジで取付けていた。しかし、前記取付孔と螺孔は、左右で同一形状、同一配置となっているため、右用と左用の支持アームを間違えて取付けることもあった。
【０００４】
そこで、前述の取付間違いを防止するために、前記取付孔と螺孔をそれぞれ三つずつとし、しかも左右鏡面対称で且つ前後非対称な配置にしていた。従って、右用と左用の支持アームは、それぞれ別の金型で成形する必要があり、そのため製造コスト低減化における最大の問題となっていた。
【０００５】
【発明が解決しようとする課題】
本発明が前述の状況に鑑み、解決しようとするところは、肘掛け部を取付け支持するための支持部、特に支持アームを右用と左用とで兼用できるように同一金型で製造して大幅な製造コストの低減化を図るとともに、右用と左用とで取付間違いが生じないように処置を施した椅子の肘掛け装置を提供する点にある。
【０００６】
【課題を解決するための手段】
本発明は、前述の課題解決のために、座部又は脚部から立ち上がった支持部に対して肘掛け部を取付けてなる椅子の肘掛け装置であって、前記座部又は脚部の両側部に前記支持部を構成する支持アームをネジ止めする取付部を設け、前記支持アームを外形において左右兼用可能とすべく前後対称形に形成するとともに、該支持アームの基部にネジ止め用の複数の取付孔を形成し、該取付孔のうち前後一対の取付孔をそれぞれ孔形が異なる形状の右用取付孔と左用取付孔とし、他の取付孔を共通取付孔とし、右用支持アームの左用取付孔にはその孔形に合致し且つ右用表示付きの右用キャップを嵌着するとともに、左用支持アームの右用取付孔にはその孔形に合致し且つ左用表示付きの左用キャップを嵌着してなり、前記取付部には共通取付孔及び右用取付孔又は左用取付孔と対応する位置に螺孔を形成してなる椅子の肘掛け装置を構成した。
【０００７】
ここで、前記支持アームの基部であって、基端側に前後一対の前記右用取付孔と左用取付孔を形成するとともに、先端側に前後一対の共通取付孔を形成してなることが好ましい。
【０００８】
更に、前記各取付孔は、ネジの螺軸を挿通する貫通孔と、ネジの頭部を埋没させる座ぐり孔を有し、前記右用取付孔と左用取付孔の座ぐり孔を互いに向きを違えた長形とし、前記右用キャップと左用キャップは前記貫通孔に抜止め係合する脚部と座ぐり孔に嵌合する表示部とからなることがより好ましい。
【０００９】
【発明の実施の形態】
次に本発明の実施形態を添付図面に基づき更に詳細に説明する。図１及び図２は本発明に係る椅子を示し、図３〜図６は本発明の要部を示し、図中符号１は椅子の脚部、２は座部、３は背凭れ部、４は肘掛け装置、５は支持部、６は肘掛け部、７は支持アーム、８は昇降体、９は取付部をそれぞれ示している。
【００１０】
本発明の実施形態に係る肘掛け装置４は、座部２又は脚部１から垂直に立ち上がった支持部５に対して肘掛け部６を高さ調節可能且つ上下角度調節可能に設けたものである。前記支持部５は、座部２に固定した支持アーム７の上部に、図示しない高さ調節機構を内蔵した中空状の昇降体８を上下スライド可能に外嵌した構造を有する。
【００１１】
本発明に係る肘掛け装置４は、前記座部２の両側部に前記支持部５を構成する支持アーム７をネジ止めする取付部９を設け、前記支持アーム７を外形において左右兼用可能とすべく前後対称形に形成するとともに、該支持アーム７の基部１０にネジ止め用の複数の取付孔１１，…を形成し、該取付孔１１，…のうち前後一対の取付孔をそれぞれ孔形が異なる形状の右用取付孔１１Ａと左用取付孔１１Ｂとし、他の取付孔を共通取付孔１１Ｃとし、右用支持アーム７Ａの左用取付孔１１Ｂにはその孔形に合致し且つ右用表示付きの右用キャップ１２Ａを嵌着するとともに、左用支持アーム７Ｂの右用取付孔１１Ａにはその孔形に合致し且つ左用表示付きの左用キャップ１２Ｂを嵌着してなり、前記取付部９には共通取付孔１１Ｃ及び右用取付孔１１Ａ又は左用取付孔１１Ｂと対応する位置に螺孔１３，…を形成したものである。
【００１２】
具体的には、前記支持アーム７の基部１０であって、基端側に前後一対の前記右用取付孔１１Ａと左用取付孔１１Ｂを形成するとともに、先端側に前後一対の共通取付孔１１Ｃ，１１Ｃを形成している。つまり、前記右用支持アーム７Ａと左用支持アーム７Ｂとは、同一形状のものであり、同一の金型を使って成形可能となる。ただし、前記支持アーム７には、図３及び図６に示すように、高さ調節機構を構成する金属製の支持板１４をインサート成形しており、この支持板１４は前後対称ではないが、同一の金型を用いてインサート成形する際に、支持板１４を金型内へ装着する際に、その向きを右用と左用とで前後逆に設定すれば良いのである。尚、前記支持板１４は、右用と左用で共通のもので良い。
【００１３】
また、前記各取付孔１１，…は、ネジ１５の螺軸１５Ａを挿通する貫通孔１６と、ネジ１５の頭部１５Ｂを埋没させる座ぐり孔１７を有し、前記右用取付孔１１Ａと左用取付孔１１Ｂの座ぐり孔１７，１７を互いに向きを違えた長形とし、本実施形態では右用取付孔１１Ａの座ぐり孔１７は横長、左用取付孔１１Ｂの座ぐり孔１７は縦長に形成している。そして、前記右用キャップ１２Ａと左用キャップ１２Ｂは、合成樹脂で成形したものであり、前記貫通孔１６に抜止め係合する脚部１８と座ぐり孔１７に嵌合する表示部１９とからなっている。ここで、図４及び図５に示すように、前記右用キャップ１２Ａの表示部１９は、縦長の長形として表面に「右」の文字を成形によって形成し、左用キャップ１２Ｂの表示部１９は、横長の長形として表面に「左」の文字を成形によって形成している。
【００１４】
また、前記共通取付孔１１Ｃの貫通孔１６には、金属製のブッシュ２０を嵌着してネジ１５による締結強度を高めている。尚、ブッシュ２０にはネジ１５の螺軸１５Ａを挿通するための貫通孔が形成されている。
【００１５】
そして、前記右用支持アーム７Ａには、左用取付孔１１Ｂに右用キャップ１２Ａが間違いなく嵌着され、右用取付孔１１Ａが露出しているので、右用キャップ１２Ａの表示を確認して、該右用支持アーム７Ａの基部１０を椅子の右側の取付部９に接合して、３本のネジ１５，…を二つの共通取付孔１１Ｃ，１１Ｃと右用取付孔１１Ａを利用して螺孔１３，…に螺合して取付けるのである。同様に、前記左用支持アーム７Ｂには、右用取付孔１１Ａに左用キャップ１２Ｂが間違いなく嵌着され、左用取付孔１１Ｂが露出しているので、左用キャップ１２Ｂの表示を確認して、該左用支持アーム７Ｂの基部１０を椅子の左側の取付部９に接合して、３本のネジ１５，…を二つの共通取付孔１１Ｃ，１１Ｃと左用取付孔１１Ｂを利用して螺孔１３，…に螺合して取付けるのである。
【００１６】
【発明の効果】
以上にしてなる本発明の椅子の肘掛け装置は、肘掛け部を取付け支持するための支持部、特に支持アームを右用と左用とで兼用することができるような外形状とすることで、同一の金型で製造することができるので、大幅な製造コストの低減化を図ることができるとともに、支持アームにはそれを取付ける側の取付孔を残して使用しない取付孔をキャップで塞ぎ、物理的に不要な取付孔を利用できないようにするとともに、キャップに支持アームを取付ける側であることを表示しているので、右用と左用の支持アームをそれぞれ対応する位置に正確に取付けることができるのである。
【図面の簡単な説明】
【図１】本発明の肘掛け装置を適用した椅子の側面図である。
【図２】同じく椅子の正面図である。
【図３】支持アームの拡大側面図である。
【図４】支持アームの基部の拡大底面図である。
【図５】キャップの斜視図である。
【図６】座部の取付部と支持アームの基部との関係を示す部分断面図である。
【符号の説明】
１  脚部                  ２  座部
３  背凭れ部              ４  肘掛け装置
５  支持部                ６  肘掛け部
７  支持アーム            ７Ａ  右用支持アーム
７Ｂ  左用支持アーム      ８  昇降体
９  取付部                １０  基部
１１  取付孔              １１Ａ  右用取付孔
１１Ｂ  左用取付孔        １１Ｃ  共通取付孔
１２Ａ  右用キャップ      １２Ｂ  左用キャップ
１３  螺孔                １４  支持板
１５  ネジ                １５Ａ  螺軸
１５Ｂ  頭部              １６  貫通孔
１７  座ぐり孔            １８  脚部
１９  表示部              ２０  ブッシュ
２７  圧縮コイルばね
【図１】
0003644221.tif 000002
【図２】
0003644221.tif 000003
【図３】
0003644221.tif 000004
【図４】
0003644221.tif 000005
【図５】
0003644221.tif 000006
【図６】
0003644221.tif 000007